(57)【要約】      （修正有）【課題】製作が簡便である上、効果的に歯の掃除を行うことができる歯清掃器具を提供する。【解決手段】歯清掃器具１は、本体１１と、本体１１の一端に一体成形された歯掃除部１２と、を含む。歯掃除部１２は、薄板状であり、本体１１の一端面の中央部分に凸設され、側部に鋸歯部１２１を設ける。歯清掃器具１の本体１１の一端に一体成形された歯掃除部１２の前端部は、平面状、円錐形状、三角形状、細長形状などに形成してもよい。歯掃除部１２は、側部に鋸歯部１２１を設けたり、歯掃除部１２全体を平面形状に形成したりしてもよい。【選択図】図１
0003161647.tif 000002
【実用新案登録請求の範囲】
【請求項１】
本体と、前記本体の一端に一体成形された歯掃除部と、を備え、
前記歯掃除部は、薄板状であり、前記本体の一端面の中央部分に凸設されていることを特徴とする歯清掃器具。
【請求項２】
前記歯掃除部の側部には、鋸歯部が設けられていることを特徴とする請求項１に記載の歯清掃器具。
【請求項３】
前記歯掃除部は、全体的に平面形状であることを特徴とする請求項１に記載の歯清掃器具。
【請求項４】
前記歯掃除部の前端部は平面形状であることを特徴とする請求項１に記載の歯清掃器具。
【請求項５】
前記歯掃除部の前端部は円錐形状であることを特徴とする請求項１に記載の歯清掃器具。
【請求項６】
前記歯掃除部の前端部は三角形状であることを特徴とする請求項１に記載の歯清掃器具。
【請求項７】
前記歯掃除部の前端部は細長形状であることを特徴とする請求項１に記載の歯清掃器具。
【考案の詳細な説明】
【技術分野】
【０００１】
本考案は、歯清掃器具に関し、特に、製作が簡便である上、効果的に歯の掃除を行うことができる歯清掃器具に関する。
【背景技術】
【０００２】
一般に、歯の掃除は爪楊枝により行う。図８を参照する。図８に示すように、従来の爪楊枝２は、円棒状の爪楊枝本体２１の一端又は両端に、外側にかけて小さくなっている尖鋭状の歯掃除部２２が形成されている。また、爪楊枝本体２１の断面積が外から内へと次第に増加しているため、歯掃除部２２を使用する際、不用意に歯間へ深く入れてしまうと歯間が広がり、歯及び歯茎を傷つけて流血をまねく虞があった。
【０００３】
これに鑑み、各種糸楊枝が市販されており、その中、図９に示す糸楊枝３は、糸楊枝本体３１の一端に形成されたフォーク部３２を有する。フォーク部３２の前端部間には、デンタルフロス３３が設けられている。ユーザは、糸楊枝３のデンタルフロス３３を歯間に挿入し、歯間の異物を除去するが、その際、ユーザは口を大きく開けなければならず見た目が好ましくなかった。また、糸楊枝３では、口腔手前側にある前歯部分しか掃除することができず、糸楊枝が届かない奥の方にある臼歯及び知恵歯は、効果的に掃除することができない虞があった。
【０００４】
特許文献１は、持柄部及び歯掃除部を含む。歯掃除部は、持柄部の前端部から凸設され、厚さ約０．０３〜０．５ｍｍの扁平状のシートであり、それぞれの厚さが異なる色で表されている。歯掃除部は、両側が鋸歯形状に形成され、その上下両面に細い溝が複数設けられている。歯掃除部の前端部は、円錐形状、三角形状又は細長形状でもよい。上述の構造により、ユーザが歯の掃除を行う際、爪楊枝の歯掃除部の両側及び上下の２つの掃除面上に設けた鋸歯形状及び細い溝により、歯間にある残渣を掃除する以外に、歯間の大きさに応じた厚さの歯掃除部を有する爪楊枝を使用することができるため、歯及び歯茎を傷つけないようにすることができる。
【０００５】
上述したように、特許文献１は、歯を容易に掃除することができる上、ユーザの歯及び歯茎を保護することができるが、持柄部と歯掃除部とを別々に製造してから結合させるため、製造工程が煩雑かつ不便である上、製造に多くの時間がかかった。
【０００６】
そのため、上述した問題点を解決することができる歯清掃器具が求められている。
【０００７】
【特許文献１】台湾実用新案登録第２７２４４１号公報
【考案の概要】
【考案が解決しようとする課題】
【０００８】
本考案の目的は、製作が簡便である上、効果的に歯の掃除を行うことができる歯清掃器具を提供することにある。
【課題を解決するための手段】
【０００９】
上記課題を解決するために、本考案の第１の形態によれば、本体と、前記本体の一端に一体成形された歯掃除部と、を備え、前記歯掃除部は、薄板状であり、前記本体の一端面の中央部分に凸設されていることを特徴とする歯清掃器具が提供される。
【００１０】
また、前記歯掃除部の側部には、鋸歯部が設けられていることが好ましい。
【００１１】
また、前記歯掃除部は、全体的に平面形状であることが好ましい。
【００１２】
また、前記歯掃除部の前端部は平面形状であることが好ましい。
【００１３】
また、前記歯掃除部の前端部は円錐形状であることが好ましい。
【００１４】
また、前記歯掃除部の前端部は三角形状であることが好ましい。
【００１５】
また、前記歯掃除部の前端部は細長形状であることが好ましい。
【考案の効果】
【００１６】
本考案の歯清掃器具は、製作が簡便である上、効果的に歯の掃除を行うことができる。
【図面の簡単な説明】
【００１７】
【図１】本考案の一実施形態による歯清掃器具を示す斜視図である。
【図２】本考案の一実施形態による歯清掃器具を示す部分拡大断面図である。
【図３】本考案の一実施形態による歯清掃器具の歯掃除部を示す部分拡大断面図である。
【図４】本考案の一実施形態による歯清掃器具の歯掃除部を示す部分拡大図である。
【図５】本考案の他の実施形態による歯清掃器具の歯掃除部を示す部分拡大図である。
【図６】本考案のさらに他の実施形態による歯清掃器具の歯掃除部を示す部分拡大図である。
【図７】本考案の一実施形態による歯清掃器具を使用するときの状態を示す模式図である。
【図８】従来の爪楊枝を示す斜視図である。
【図９】従来の糸楊枝を示す斜視図である。
【考案を実施するための形態】
【００１８】
まず、図１及び図２を参照する。図１及び図２に示すように、歯清掃器具１は、本体１１と、本体１１の一端に一体成形された歯掃除部１２と、を含む。歯掃除部１２は、薄板状であり、本体１１の一端面の中央部分に凸設され、側部に鋸歯部１２１が設けられている。
【００１９】
本実施形態の歯清掃器具１の本体１１の一端に一体成形された歯掃除部１２の前端部は、平面状（図４に示す）、円錐形状（図５に示す）、三角形状、細長形状などに形成してもよい。歯掃除部１２は、側部に鋸歯部１２１を設けたり、歯掃除部１２全体を平面形状に形成したりしてもよい。
【００２０】
図７を参照する。図７に示すように、ユーザが歯清掃器具１の本体１１を手で持ち、歯間に歯掃除部１２を挿入して歯間内にある異物を除去する際、歯掃除部１２の側部に設けた鋸歯部１２１を使用すると、異物を簡便に除去することができる。また、歯掃除部１２の前端部は、歯間に挿入し易いように、平面形状、円錐形状、三角形状、細長形状などに形成されている。
【００２１】
上述したことから分かるように、本考案の歯清掃器具は、本体と、本体の一端に一体成形された歯掃除部と、を備える。歯掃除部１２は、薄板状であり、本体１１の一端面の中央部分に凸設されている。そのため、本考案の歯清掃器具は、製作が簡便である上、効果的に歯の掃除を行うことができる。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  歯清掃器具
２  爪楊枝
３  糸楊枝
１１  本体
１２  歯掃除部
２１  爪楊枝本体
２２  歯掃除部
３１  糸楊枝本体
３２  フォーク部
３３  デンタルフロス
１２１  鋸歯部
【図１】
0003161647.tif 000003
【図２】
0003161647.tif 000004
【図３】
0003161647.tif 000005
【図４】
0003161647.tif 000006
【図５】
0003161647.tif 000007
【図６】
0003161647.tif 000008
【図７】
0003161647.tif 000009
【図８】
0003161647.tif 000010
【図９】
0003161647.tif 000011